(57)【要約】【課題】チケット本体を分離することが可能な電子チケットを提供すること。【解決手段】  第１の情報を表示し、前記第１の情報の表示を電力を消費することなく保持する第１の表示部１１１を有する第１の本体部１１０と、前記第１の本体部１１０と分離部で分離可能な第２の本体部１６０と、を有する電子チケット。【選択図】図１
2010211570.tif 000002
【特許請求の範囲】
【請求項１】
第１の情報を表示し、前記第１の情報の表示を電力を消費することなく保持する第１の表示部、
を有する第１の本体部と、
前記第１の本体部と分離部で分離可能な第２の本体部と、
を備える電子チケット。
【請求項２】
前記第１の表示部は、電子ペーパにより形成される、
請求項１に記載の電子チケット。
【請求項３】
前記分離部は、貫通溝が一列に並んで成る切り取り線により形成される、
請求項１又は２のいずれかに記載の電子チケット。
【請求項４】
前記分離部は、前記第１の本体部と前記第２の本体部とが着脱可能に形成される、
請求項１又は２のいずれかに記載の電子チケット。
【請求項５】
前記第２の本体部は、第２の情報を表示し、前記第２の情報の表示を電力を消費することなく保持する第２の表示部を有する、
請求項１〜４のいずれかに記載の電子チケット。
【請求項６】
前記第２の表示部は、電子ペーパにより形成される、
請求項５に記載の電子チケット。
【請求項７】
前記第１の本体部と前記第２の本体部とを前記分離部の位置で分離する動作に伴って、前記第１の表示部に表示する内容の書き換え指示を出力する書換指示部をさらに備える、
請求項１〜６のいずれかに記載の電子チケット。
【請求項８】
前記書換指示部は、書換制御回路からなるスイッチ機構を含み、
前記書換制御回路は、絶縁物又は空間から成る絶縁部によって電気的に離隔された非接続状態から前記絶縁部にて前記書換制御回路が電気的に接続された接続状態に切り替わり電流が流れることによって前記書換指示を出力する、
請求項７に記載の電子チケット。
【請求項９】
前記第１の本体部は、前記第１の表示部の表示内容の書換を制御する第１の制御部と、時刻情報を提供する時計部とを有し、
前記第１の制御部は、前記時計部から取得した時刻情報が、所定の時刻以前か否かに基づいて前記第１の表示部に表示する内容を制御する、
請求項１〜８のいずれかに記載の電子チケット。
【請求項１０】
前記第１の本体部はさらに書換データ記憶部を有し、前記第１の表示部に書換表示する情報は、前記書換データ記憶部に記憶された情報である、請求項１〜９のいずれかに記載の電子チケット。
【請求項１１】
前記第１の本体部はさらに通信部を有し、前記第１の表示部に書換表示する情報は、前記通信部を介して取得した情報である、請求項１〜９のいずれかに記載の電子チケット。
【請求項１２】
前記第１の表示部は、利用者用の表示部であり、前記第２の表示部は、主催者用の表示部である、請求項１〜１１のいずれかに記載の電子チケット。
【発明の詳細な説明】
【技術分野】
【０００１】
本発明は、電子チケットに関する。
【背景技術】
【０００２】
例えばコンサート及びスポーツの試合などのイベントにおいて、利用者は、イベントの主催者またはその代理店などからそのイベントのチケットをイベント開催前に購入する。従来このチケットは紙のチケットが主流であった。紙のチケットはその多くが切り取り線の位置で２つにちぎることが出来る形態となっている。このようなチケットは、イベント会場に入場する際に、係員などによって２つにちぎられる。ちぎられたチケットの一方は主催者によって回収され、もう一方は利用者に戻される。
【０００３】
一方近年、例えば特許文献１に開示されたように、イベントのチケット管理、チケット発券、及び入場管理まで全て電子化した電子チケットシステムが実用化されている。このような電子チケットシステムにおいては、利用者がイベント会場に入場する際、利用者本人又は係員などが電子チケットを読み取る機能を有する装置に電子チケットをかざすなどの操作をすることによって入場管理をしていた。
【先行技術文献】
【特許文献】
【０００４】
【特許文献１】特開２００２-２４８６５号公報
【発明の概要】
【発明が解決しようとする課題】
【０００５】
しかしながら、上記のような従来の電子チケットは、紙のチケットに比べてその形態が大きく異なる。そのため、情報機器に不慣れな利用者は利用に当たって戸惑う可能性があった。
【０００６】
そこで、本発明は、上記問題に鑑みてなされたものであり、本発明の目的とするところは、紙のチケットのようにチケット本体を分離することが可能な、新規かつ改良された電子チケットを提供することにある。
【課題を解決するための手段】
【０００７】
上記課題を解決するために、本発明のある観点によれば、第１の情報を表示し、上記第１の情報の表示を電力を消費することなく保持する第１の表示部を有する第１の本体部と、上記第１の本体部と分離部で分離可能な第２の本体部と、を有する電子チケットが提供される。
【０００８】
また、上記第１の表示部は、電子ペーパにより形成されるものであってもよい。
【０００９】
また、上記分離部は、貫通溝が一列に並んで成る切り取り線により形成されるものであってもよい。
【００１０】
また、上記分離部は、上記第１の本体部と上記第２の本体部とが着脱可能に形成されるものであってもよい。
【００１１】
また、上記第２の本体部は、第２の情報を表示し、上記第２の情報の表示を電力を消費することなく保持する第２の表示部を有するものであってもよい。
【００１２】
また、上記第２の表示部は、電子ペーパにより形成されるものであってもよい。
【００１３】
また上記電子チケットは、上記第１の本体部と上記第２の本体部とを上記分離部の位置で分離する動作に伴って、上記第１の表示部に表示する内容の書き換え指示を出力する書換指示部をさらに有するものであってもよい。
【００１４】
また上記書換指示部は、書換制御回路からなるスイッチ機構を含み、上記書換制御回路は、絶縁物又は空間から成る絶縁部によって電気的に離隔された非接続状態から上記絶縁部にて上記書換制御回路が電気的に接続された接続状態に切り替わり電流が流れることによって上記書換指示を出力するものであってもよい。
【００１５】
また上記第１の本体部は、上記第１の表示部の表示内容の書換を制御する第１の制御部と、時刻情報を提供する時計部とを有し、上記第１の制御部は、上記時計部から取得した時刻情報が、所定の時刻以前か否かに基づいて上記第１の表示部に表示する内容を制御するものであってもよい。
【００１６】
また上記第１の本体部はさらに書換データ記憶部を有し、上記第１の表示部に書換表示する情報は、上記書換データ記憶部に記憶された情報であってもよい。
【００１７】
また上記第１の本体部はさらに通信部を有し、上記第１の表示部に書換表示する情報は、上記通信部を介して取得した情報であってもよい。
【００１８】
また上記第１の表示部は、利用者用の表示部であってもよく、上記第２の表示部は、主催者用の表示部であってもよい。
【００１９】
また、上記課題を解決するために、本発明の別の観点によれば第１の情報を表示し、前期第１の情報の表示を電力を消費することなく保持する第１の表示部を有する電子チケットから、その一部がちぎられる動作に伴い、前記第１の表示部の表示を書き換える電子チケットの表示方法が提供される。
【発明の効果】
【００２０】
以上説明したように本発明によれば、紙のチケットのようにチケット本体を分離することが可能な電子チケットを提供することができる。
【図面の簡単な説明】
【００２１】
【図１】本発明の一実施形態に係る電子チケットの機能を示すブロック図である。
【図２】同実施形態に係る電子チケットの構成を示す模式図である。
【図３】同実施形態に係る電子チケットの書換指示部の構成を示す説明図である。
【図４】同実施形態に係る電子チケットの分離時の表示を示す模式図である。
【図５】同実施形態に係る電子チケットの制御部の動作を示すフローチャートである。
【図６】書換指示部の構成の第１の変形例を示す説明図である。
【図７】書換指示部の構成の第２の変形例を示す説明図である。
【図８】同実施形態に係る電子チケットの機能構成の変形例を示すブロック図である。
【図９】本発明の他の実施形態に係る電子チケットの機能構成を示すブロック図である。
【図１０】同実施形態に係る電子チケットの書換指示部の構成を示す説明図である。
【図１１】同実施形態に係る電子チケットの分離時の表示の一例を示す模式図である。
【図１２】同実施形態に係る電子チケットの制御部の動作を示すフローチャートである。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
＜第１の実施形態＞
（電子チケットの機能構成）
まず図１を参照しながら本発明の第１の実施形態に係る電子チケットの機能構成について説明する。図１は、一実施形態に係る電子チケットの機能構成を示すブロック図である。
【００２４】
本発明の第１の実施形態に係る電子チケット１００は紙のように薄く、軽量なシート状の物体であり、第１の本体部１１０と、第２の本体部１６０とを主に有し、分離部１５０の位置においてちぎることで、第１の本体部１１０と第２の本体部１６０とに分離することが可能である。
【００２５】
第１の本体部１１０は、分離部１５０を介して第２の本体部１６０と継合される。本実施形態において第1の本体部１１０は、分離した後利用者用の半券として用いられる。一方第２の本体部１６０は、本実施形態においては主催者用の半券として回収される。
【００２６】
分離部１５０は、第１の本体部１１０と第２の本体部１６０との間に位置し、電子チケット１００を分離することが可能な部分である。分離部１５０は、本実施形態においては切り取り線で形成され、一度分離した後は、再び結合することが出来ない。また、分離部１５０は、例えば第１の本体部１１０及び第２の本体部１６０よりも薄いフィルムによって形成されているとちぎりやすく好ましい。
【００２７】
第１の本体部は、第１の表示部１１１と第１の制御部１１３と書換データ記憶部１１５とを主に有する。また、第２の本体部１６０は、第２の表示部１６１と第２の制御部１６３と付加データ生成部１６５とを主に有する。また、分離部１５１は書換指示部１５５を主に有する。
【００２８】
第１の表示部１１１は、第１の制御部１１３に接続されている。第１の制御部１１３は、第１の表示部１１１、書換データ記憶部１１５、及び書換指示部１５５に接続されている。書換データ記憶部１１５は、第１の制御部１１３に接続されている。書換指示部１５５は、第１の制御部１１３及び第２の制御部１６３に接続されている。第２の制御部１６３は、書換指示部１５５、第２の表示部１６１、及び付加データ生成部１６５に接続されている。第２の表示部１６１は、第２の制御部１６３に接続されている。付加データ生成部１６５は、第２の制御部１６３に接続されている。
【００２９】
第１の表示部１１１は、情報を表示し、その情報の表示を電力を必要とせず保持することができるディスプレイである。即ち、一旦画像を表示させた後は、第１の表示部１１１の各画素に電圧を印加しなくても画像を表示し続けることが出来る。第１の表示部１１１は、例えば電子ペーパなどで形成する。
【００３０】
第１の制御部１１３は、第１の本体部１１０の動作を制御する機能部である。例えば、第１の表示部１１１に表示する内容の制御を行う。
【００３１】
書換データ記憶部１１５は、第１の表示部１１１に書換表示させるための書換データを記憶する。書換データとは電子データであり、第１の表示部１１１に表示させることが可能な画像データであってもよいし、その他のフォーマットを有するデータであってもよい。書換データがその他のフォーマットである場合には、第１の制御部１１３においてデータフォーマットが変換されるため問題ない。
【００３２】
ここで、書換データ記憶部は例えばハードディスク（Hard  Disk）などの磁気記録媒体や、ＥＥＰＲＯＭ（Electronically  Erasable and  Programmable  Read  Only  Memory）、フラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）などの不揮発性メモリが挙げられるが、上記に限られない。
【００３３】
書換指示部１５５は、第１の本体部１１０と第２の本体部１６０とを分離部１５０の位置で分離する動作に伴って、第１の表示部１１１及び第２の表示部１６１に表示する内容の書き換え指示を出力する。本実施形態において書換指示部１５５は、書換制御回路からなるスイッチ機構である。書換制御回路は、絶縁物又は空間などからなる絶縁部によって電気的に離隔された非接続状態から絶縁部において書換制御回路が電気的に接続された接続状態に切り替わり、書換制御回路に電流が流れることによって書換指示を出力する。スイッチ機構の詳細については後述する。
【００３４】
第２の表示部１６１は、情報を表示し、その情報の表示を電力を必要とせず保持することが出来るディスプレイである。即ち、一旦画像を表示させた後は、第２の表示部１６１の各画素に電圧を印加しなくても画像を表示し続けることが出来る。第２の表示部１６１は、例えば電子ペーパなどで形成する。
【００３５】
第１の表示部１１１及び第２の表示部１６１に用いられる電子ペーパは、例えば２枚の基板間に電界を与えることで画像を表示するものであり、いったん画像を表示させたあとは各画素に電圧をかけなくても長期間同じ画像を表示し続ける反射型ディスプレイである。電子ペーパの表示方式は、例えばマイクロカプセル型電気泳動方式、コレステリック液晶方式、及びエレクトロクロミック方式などが挙げられる。
【００３６】
第２の制御部１６３は、第２の本体部１６０の動作を制御する機能部である。例えば、第２の表示部１６１に表示する内容の制御を行う。
【００３７】
付加データ生成部１６５は、第２の表示部１６１に表示するための付加データを生成する機能を有する。付加データ生成部１６５は、例えば時刻データを生成する機能を有していてもよい。この場合、電子チケット１００をちぎったタイミングで、ちぎった時刻を第２の表示部１６１に表示させることが出来る。
【００３８】
（電子チケットの物理構成）
本実施形態に係る電子チケット１００は、例えば、コンサート、映画、及びスポーツの試合などのイベントの入場管理に使われるチケットとして用いられ、上記の通り分離部１５０の位置において分離することで、利用者が会場に入場する際の受付を済ませたことを示す。このような入場管理手段は、従来紙を用いたチケットで行われていたものと同様である。
【００３９】
従来、電子チケットにおいて採用された入場管理の手段としては、例えば携帯電話やＰＤＡのような端末を用いた電子チケットを会場に設置された電子チケット読み取りのための装置などを用いて読み取るといったことが行われていた。しかし、このような電子チケットにおいては、利用形態が紙のチケットの利用形態に比べて大きく異なるため、利用者が戸惑うばかりでなく、読み取りのための装置を設置できない会場において利用することが出来ないといった問題があった。一方、本発明の一実施形態に係る電子チケット１００は、読み取り用の装置なども不要であるという利点を有し、紙のチケット同様にちぎった後の半券を用いて再入場の管理及び座席の確認などが可能である。
【００４０】
そこで、以下図２、図３、及び図４を参照しながら、本実施形態に係る電子チケット１００の物理構成と表示の例について説明する。図２は、本発明の一実施形態に係る電子チケットの構成を示す模式図である。図３は、本発明の一実施形態に係る電子チケットの分離時の表示を示す模式図である。図４は、本発明の一実施形態に係る電子チケットの書換指示部の構成を示す説明図である。尚、以下図１と同じ構成要素を示す場合には同じ符号を付し、説明を省略する。
【００４１】
まず、図２を参照しながら本実施形態に係る電子チケット１００の全体構成及び表示例について説明する。電子チケット１００は、分離部１５０において電子チケット１００本体をちぎり、第１の本体部１１０と第２の本体部１６０とに分離することが可能である。第１の本体部１１０は第１の表示部１１１を有し、第２の本体部１６０は第２の表示部１６１を有する。
【００４２】
第１の表示部１１１は、本実施形態においては利用者用の表示部であり、利用者が必要とする情報（第１の情報に相当）を表示する。例えば第１の表示部１１１は、入場前においては、イベント名、会場名、開催日時、及び座席番号などを表示してよい。また例えば第１の表示部１１１は、会場までのアクセス方法や駅からの所要時間など（いずれも図示せず。）を表示するようにしてもよい。
【００４３】
また一方、第２の表示部１６１は、本実施形態においては主催者用の表示部であり、主催者が必要とする情報（第２の情報に相当）を表示する。例えば第２の表示部１６１は、イベント名と座席番号などを表示してよい。
【００４４】
（書換指示部の物理構成）
分離部１５０は書換指示部１５５を有する。書換指示部１５５は、第１の本体部１１０と第２の本体部１６０とを分離部１５０の位置で分離する動作に伴って、第１の表示部１１１及び第２の表示部１６１に表示する内容の書き換え指示を出力する。そこで、書換指示部１５５の具体的な実現手段について、その一例を図３に示す。本実施形態において分離部１５０は、貫通溝が一列に並んで成る切り取り線により形成されている。
【００４５】
図３を参照すると、書換指示部１５５は、書換制御回路１５５１と絶縁体１５５３とを含むスイッチ機構である。本実施形態においては第１の表示部１１１と第２の表示部１６１との双方を書き換えるため、向きの違う２つのスイッチ機構を有する。以下、第１の表示部１１１を書き換えるためのスイッチ機構についてその詳細を説明する。
【００４６】
書換指示部１５５は、書換制御回路１５５１ａと絶縁体１５５３ａとを有する。書換制御回路１５５１ａは、電源を有する。しかし分離部１５０の近傍において、絶縁体１５５３ａが書換制御回路１５５１ａの間に挿入されることにより絶縁されているため、第１の制御部１１３に電流は流れない。電子チケットが切り取り線に沿ってちぎられる際に、絶縁体１５５３ａが書換制御回路１５５１ａから抜けて、書換制御回路１５５１ａが接続されると電流が流れる。本実施形態においてはこの電流を書換指示として用いる。
【００４７】
絶縁体１５５３ａは、第２の本体部１６０側に固定されている。絶縁体１５５３ａが書換制御回路１５５１ａから抜けた際に書換制御回路１５５１ａが接続する方向に、絶縁体１５５３ａの近傍では例えばばねなどにより力が加えられている。かかる構成により、電子チケット１００は、分離部１５０の位置でちぎり、第１の本体部１１０と第２の本体部１６０とを分離すると、絶縁体１５５３ａが書換制御回路１５５１ａから抜けて書換制御回路１５５１ａが接続されるため、第１の制御部１１３へ書換指示である電流が流れる。
【００４８】
尚、書換制御回路１５５１ｂと絶縁体１５５３ｂとについても動作は同様である。書換制御回路１５５１ｂは第２の本体部１６０に内設され、絶縁体１５５３ｂは第１の本体部１１０側に固定されるという点が異なる。また、書換制御回路１５５１ｂは第２の制御部１６３に対して書換指示を出力し、第２の表示部１６１の表示に対する書換指示を出力するという点が異なる。
【００４９】
以上説明したような構成により、書換指示部１５５から第１の制御部１１３及び第２の制御部１６３に書換指示が出力され、第１の表示部１１１及び第２の表示部１６１の表示が書き換えられた後の表示例について、図４を用いて説明する。
【００５０】
第１の本体部１１０と第２の本体部１６０との分離後における第１の本体部１１０は、利用者用の半券として用いることが出来る。例えば利用者は第１の本体部１１０に設けられた第１の表示部１１１に表示された座席の情報を確認することが出来る。また、利用者は分離後の第１の本体部１１０である半券を、従来紙で行っていたのと同様に再入場の際に用いることも出来る。
【００５１】
第１の表示部１１１は、第１の本体部１１０と第２の本体部１６０との分離動作に伴い出力される書換指示に応じて、入場後に利用者が必要とする情報を表示してもよい。例えば第１の表示部１１１は、会場内の案内図を表示する。かかる構成により、第１の表示部１１１は限られたスペースの中で効率的に必要な情報を表示することが出来る。
【００５２】
第２の表示部１６１は、第１の本体部１１０と第２の本体部１６０との分離動作に伴い出力される書換指示に応じて、上記分離が行われた時刻を表示してもよい。かかる構成により、主催者はイベントの終了後に観客動員の統計データを集めることが出来るようになる。
【００５３】
（書換動作フロー）
ここで、図５を参照しながら第１の本体部１１０における第１の表示部１１１の表示書換動作フローを説明する。図５は、本発明の一実施形態に係る電子チケットの制御部の動作を示すフローチャートである。
【００５４】
まず、利用者がイベント会場に到着し、ゲートを通過する際に、利用者は例えば係員などに電子チケット１００を渡し、電子チケット１００のチェックが行われる。係員は電子チケット１００が当該イベントのためのものであることを確認すると、電子チケット１００をちぎる。更に係員は、主催者用の本体部である第２の本体部１６０を回収する。
【００５５】
この時、上記の構成によって電子チケット１００がちぎられる際に書換指示部１５５から出力される書換指示が第１の制御部１１３に入力される（Ｓ１００）。第１の制御部１１３は、次に書換データ記憶部１１５に記憶された、書換データを取得する（Ｓ１０２）。第１の制御部１１３は、取得した書換データが第１の表示部１１１において表示可能なデータ形式であるか否かを判断し（Ｓ１０４）、書換データがそのままでは表示できないデータ形式である場合には書換データを第１の表示部１１１において表示可能なデータ形式に変換する（Ｓ１０６）。次に上記書換データを第１の表示部１１１へ表示する（Ｓ１０８）。
【００５６】
この時、第１の表示部１１１は、書換データが入力されると、書換データを縦と横のドライバ用信号に分離する。信号の分離方法については、第１の表示部１１１の表示方式により異なる。縦と横のドライバ用信号をそれぞれ縦用のドライバ部と横用のドライバ部（いずれも図示せず。）に送り、それぞれから駆動部分に対して表示のための信号を送る。駆動部分は、表示部分に対してプラス又はマイナスの電圧をかけることによって第１の表示部１１１の表示を切り替える。
【００５７】
次に、第２の本体部１６０における第２の表示部１６１の表示書換動作フローについて説明する。尚、書換の流れについては第１の本体部１１０と同様であるため同じく図５を用いて説明する。
【００５８】
電子チケット１００がちぎられるまでの動作は上記と同様である。このとき、書換指示部１５５から出力される書換指示は第２の制御部１６３にも入力される（Ｓ１００）。第２の制御部１６３は、付加データ生成部１６５から時刻情報などの書換データを取得する（Ｓ１０２）。第２の制御部１６３は、取得した書換データが第２の表示部１６３において表示可能なデータ形式であるか否かを判断し（Ｓ１０４）、書換データがそのままでは表示できないデータ形式である場合には書換データを第２の表示部１６１において表示可能なデータ形式に変換する（Ｓ１０６）。次に上記書換データを第２の表示部１６１へ表示する。第２の表示部１６１が書き換えられる際の動作については、第１の表示部１１１と同様であるため説明を省略する。
【００５９】
尚、以上のような第１の制御部１１３及び第２の制御部１６３の各動作は、回路などのハードウェア的な手段によって実現されてもよいし、ソフトウェアによって実現されてもよい。ソフトウェアによって実現される場合には、上記のような制御の手順が記述されたプログラムを例えばＣＰＵなどが読み込み、そのプログラムを解釈して実行することにより実現される。
【００６０】
（効果の例）
以上第１の実施形態に係る電子チケット１００について説明してきた。かかる構成によれば、電子チケット１００は人間の手によってちぎる、すなわち第１の本体部１１０と第２の本体部１６０とに分離することが出来る。従って、従来紙のチケットによって行われていたのと同様に、チケットを２つにちぎり、一方を主催者用として回収し、他方を利用者用の半券として利用者が必要な情報を表示することが出来る。
【００６１】
このような電子チケットにおいて、チケットをちぎる動作に応じて表示部の表示内容を書き換えることが出来るようにした。よって従来の紙のチケットよりも多くの情報を利用者に提供することが出来るという効果がある。例えば上述のようにちぎるまでは会場に着くまでに必要な内容を表示し、ちぎった後は会場内で必要な内容に書き換えることが出来る。
【００６２】
また、本実施形態においては従来の電子チケットと異なり、電子チケット内に書換データを記憶しているため、電子チケット単体で書き換えや入場管理などを行うことができ、例えば会場にチケット読み取り用の装置を設置することなくどんな会場においても利用することができるという効果がある。
【００６３】
（変形例）
次に、以上説明してきた本発明の第１の実施形態に係る電子チケットの変形例について以下にいくつか説明する。まず、書換指示部１５５の変形例について説明する。
【００６４】
図６は、本発明の第１の実施形態に係る電子チケット１００の書換指示部１５５の構成の第１の変形例を示す説明図である。第１の実施形態においては、書換制御回路１５５１ａと絶縁体１５５３ａとを用いたスイッチ機構について説明したが、第１の変形例は絶縁体１５５３ａではなく絶縁空間１５５５ａを用いる点において異なる。書換制御回路１５５１ａは、電子チケット１００をちぎる動作に伴って図の右の点線内にＡ分離時として示したように、電子チケット１００の分離部１５５が歪むことによって絶縁空間１５５５ａが縮まり、書換制御回路１５５１ａが接続され、第１の制御部１１３へ書換指示が出力される。
【００６５】
図７は、本発明の第１の実施形態に係る電子チケット１００の書換指示部１５５の構成の第２の変形例を示す説明図である。第２の変形例は、書き換え制御回路１５５１ａ自体を図の右側に引っ張る、スイッチ部１５５７ａを有する点において異なる。電子チケット１００をちぎる際に、スイッチ部１５５７ａが図の右側に引っ張られることにより、Ｂ分離時において示したように書き換え制御回路１５５１ａが接続される。これによって書換指示を出力することが可能である。
【００６６】
以上、書換指示部１５５の変形例について説明したが、本発明は係る例に限られない。例えば本実施形態においては書換指示部１５５は全てハードウェアによって実現されるものについて説明をしたが、ソフトウェアによって実現されるものであってもよい。この場合、ＣＰＵを搭載し、第１の本体部１１０と第２の本体部１６０とが分離したことをセンサなどによって検知し、第１の制御部１１３及び第２の制御部１６３に書換指示を出力する。また、ハードウェアとソフトウェアを両方用いたものであっても良い。例えば第１の実施形態において説明したようなスイッチ機構によって第１の本体部１１０と第２の本体部１６０とが分離したことを検知し、全てのスイッチ機構が分離したことを検知すると書換指示を出力するようにしてもよい。
【００６７】
次に図８を用いて本発明の第１の実施形態に係る電子チケットの機能構成の変形例について説明する。図８は、本発明の一実施形態に係る電子チケットの機能構成の変形例について説明するブロック図である。
【００６８】
図８に示す変形例は、図１と比較して書換データ記憶部１１５を持たず、通信部１１７を有している点において異なる。通信部１１７は、書き換えるためのデータを記憶しておく代わりに、通信網に接続する。通信網上のサーバなどに記憶された書換データにアクセスすることが出来るようになり、第１の制御部１１３は、当該サーバから書換データを取得する。ここで通信網は、有線または無線の伝送路である。例えば電話回線網、衛星通信網、インターネットなどの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網を含んでも良い。
【００６９】
このように、通信部１１７を設けることによって、書換データを外部から取得することが可能となる。そのため、書換データの内容を、チケット販売以降に変更することが可能となり、柔軟に表示内容を変更できるという効果がある。
【００７０】
以上、第１の実施形態に係る電子チケットとその変形例について説明した。第１の実施形態に係る電子チケットは、電子チケット本体を不可逆に分離可能である。このような構成の電子チケットは、電子ペーパのコストダウンが進み、現在の紙と同様に使用されるようになった場合には非常に有効である。一方、次に説明する第２の実施形態に係る電子チケットは、電子チケット本体がリサイクル可能なものである。
【００７１】
＜第２の実施形態＞
（電子チケットの機能構成）
まず、図９を用いて第２の実施形態に係る電子チケットの機能構成について説明する。図９は、他の実施形態に係る電子チケットの機能構成を示すブロック図である。
【００７２】
本発明の第２の実施形態に係る電子チケット２００は、第１の本体部１１０と、第２の本体部１６０とを主に有し、分離部２５０の位置において着脱可能である。第１の実施形態に示したように、電子チケット１００本体をちぎる場合にはリサイクルが難しい。そこで、第２の実施形態に係る電子チケット２００は電子チケット本体を再び継合できるようにしたものである。
【００７３】
第１の本体部１１０は、第１の表示部１１１と、第１の制御部１１３と、書換データ記憶部１１５と、時計部１１９とを主に有する。また、第２の本体部１６０は、第２の表示部１６１と、第２の制御部１６３と、付加データ生成部１６５とを主に有する。さらに分離部２５０は、書換指示部１５５を主に有する。
【００７４】
以下、第１の実施形態と異なる部分のみ説明し、重複する部分については説明を省略する。まず、第２の実施形態に係る電子チケット２００の分離部２５０は、電子チケットがリサイクルできるように、第１の本体部１１０と第２の本体部１６０とが着脱可能に構成されている。例えば分離部２５０は、第１の本体部１１０と第２の本体部１６０とに設けられた凹部と凸部とが嵌合することによって着脱可能に形成されてもよい。
【００７５】
書換指示部２５５は、第１の本体部１１０と第２の本体部１６０とを分離部１５０の位置で分離する動作に伴って、第１の表示部１１１及び第２の表示部１６１に表示する内容の書き換え指示を出力する。この点においては第１の実施形態と同様であるが、第１の本体部１１０と第２の本体部１６０とを再び継合する際に、書換制御回路が再び離間する点において異なる。この構成によりリサイクル可能となっている。
【００７６】
ここで、分離部２５０と書換指示部２５５との具体的な物理構成の一例について、図１０を用いて説明する。図１０は、第２の実施形態に係る電子チケットの分離部の構成を示す説明図である。
【００７７】
図１０の（ａ）は、本実施形態に係る電子チケット２００の全体概略図であり、（ｂ）は、（ａ）のＣ部分の着脱構造を説明する模式図であり、（ｃ）は、（ｂ）の凸部と凹部とが嵌合した様子を示した模式図である。
【００７８】
以下、第１の表示部１１１を書き換えるためのスイッチ機構についてその詳細を説明する。本実施形態に係る分離部２５０は、第２の本体部１６０に設けられた凸部１６０１と第１の本体部１１０に設けられた凹部とが嵌合し、着脱可能に形成されている。
【００７９】
図１０の（ｂ）を参照すると、書換指示部２５５は、書換制御回路２５５１ａの接続と非接続の状態変化に基づいたスイッチ機構である。書換制御回路２５５１ａは、第１の本体部１１０の凹部内に設けられた第１の爪状部１１０１と第２の爪状部１１０２とが接することによって接続される。このとき流れる電流が書換指示として用いられる。第１の爪状部１１０１と第２の爪状部１１０２との接触面は導電性を有している。一方、第２の本体部１６０には、凸部１６０１が設けられ、第１の本体部の凹部と嵌合可能である。また、この凸部１６０１は絶縁性を有しており、第１の本体部の凹部に挿入すると、第１の爪状部１１０１と第２の爪状部１１０２とを物理的に離間するだけでなく、電気的にも離間する。また、第１の爪状部１１０１は、凸部１６０１が挿入するために弾力性をもってしなる形状に形成される。
【００８０】
図１０の（ｃ）は、第１の本体部の凹部と第２の本体部の凸部が嵌合した状態を示した図である。このように、凸部１６０１が第１の爪状部１１０１と第２の爪状部１１０２との間に挿入され、凹部と嵌合された状態で電子チケット２００は販売される。
【００８１】
以上説明したように、本実施形態に係る電子チケット２００は、着脱可能に構成されている。このため、チケットの不正利用の可能性が高まる。不正利用を防止するための一つの手段として、図１１に示したように予め設定した時間以前にチケットを分離した場合には、「無効」と表示することなどが考えられる。図１１は、本発明の第２の実施形態に係る電子チケットの分離時の表示の一例を示す模式図である。
【００８２】
再び図９に戻って説明を続ける。時計部１１９は、第１の制御部に接続される。時計部１１９は、時刻情報を提供する機能を有する時計である。本実施形態においては、第１の制御部１１３に時刻情報を提供する。第１の制御部１１３に提供された時刻情報は、書換指示が第１の制御部１１３に入力された時刻が予め設定された時刻以前か否かを判定する際の基準となる。
【００８３】
ここで、図１２を参照しながら第１の制御部１１３における第１の表示部１１１の表示書換動作フローを説明する。図１２は、本発明の第２の実施形態に係る電子チケットの制御部の動作を示すフローチャートである。
【００８４】
尚、書換の内部処理以外の部分は、第１の実施形態と同様であるため説明を省略し、ここでは第１の制御部内部の処理のみを説明する。まず、電子チケット２００の分離部２５０が分離される際に書換指示が第１の制御部に入力される（Ｓ２００）。第１の制御部１１３は、時計部１１９から時刻情報を取得し（Ｓ２０２）、取得した現在時刻が予め設定された設定時刻を過ぎているかどうか判断する（Ｓ２０４）。ここで、設定時刻は例えばイベント会場の開場時間などを設定しておく。
【００８５】
上記判断により、現在時刻が設定時刻を過ぎていた場合には、第１の制御部１１３は、例えば図４に示したような正規の書換用データを書換データ記憶部１１５から取得する（Ｓ２０６）。一方、上記判断により、現在時刻が設定時刻を過ぎていなかった場合には、第１の制御部１１３は、例えば図１１に示したような、チケットが無効である旨を示す無効表示用データを取得する（Ｓ２０８）。無効表示用データは、例えば上記の書換データ記憶部１１５に記憶されていてよい。
【００８６】
次に、取得した書換データ又は無効表示用データが表示可能なデータ形式であるかどうかが判定される（Ｓ２１０）。ここで取得したデータがそのまま表示可能なデータ形式でなかった場合には、第１の制御部１１３は、取得したデータを表示用のデータ形式に変換する（Ｓ２１２）。次に表示用データが第１の表示部１１１に表示される（Ｓ２１４）。
【００８７】
以上説明したように、本発明の第２の実施形態に係る電子チケット２００は、分離部２５０にて第１の本体部１１０と第２の本体部１６０とが着脱可能である。分離したチケットが再び継合可能であるということは、不正利用の可能性が高まる。そのため分離した時間に応じて表示の内容を変えるように構成してもよい。
【００８８】
（変形例）
上述のように着脱可能な電子チケットを用いると、例えば第１の本体部１１０を回収せずにマイチケットとして利用者本人が保持することも考えられる。例えば新しいイベントの情報を有する第２の本体部１６０のみを販売し、利用者は第２の本体部１６０を購入して、予め持っている第１の本体部と継合することによって、新しいイベント情報が第１の表示部１１１に表示されるよう構成することも出来る。
【００８９】
この場合、第２の本体部１６０は第１の表示部１１１に表示するための新しいイベント情報を記憶するメモリ部が必要である。また、第２の本体部１６０を第１の本体部１１０に継合する動作に伴って第１の表示部１１１の表示を書き換える仕組みがあればよい。上述した分離動作によって書換回路が接続される仕組みと逆であり、継合する動作によって書換回路が接続されるような構成とすればよい。
【００９０】
また、第２の実施形態にかかる電子チケット２００は、書換データ記憶部１１５の代わりに通信部を有する構成であってもよい。かかる構成によれば、第１の実施形態において説明したのと同様にチケット販売以降に表示の内容を変更することが出来る。
【００９１】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【００９２】
例えば、上記実施形態においては第１の本体部と第２の本体部の双方に表示部を有する構成としたが、上記に限られない。例えば、第２の本体部の表示内容を書き換えない場合には、第２の本体部に直接印刷してもよいし、情報を印刷したフィルムを貼る構成であってもよい。
【００９３】
また例えば、上記実施形態においては第２の表示部にちぎった時刻を表示する例について説明したが、第１の表示部にも時刻を表示するようにしてもよい。例えば再入場の際に係員は表示された時刻を見て再入場可能であるか否かを判断するようにしてもよい。
【００９４】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【００９５】
１００      電子チケット
１１０      第１の本体部
１１１      第１の表示部
１１３      第１の制御部
１１５      書換データ記憶部
１５０      分離部
１５５      書換指示部
１６０      第２の本体部
１６１      第２の表示部
１６３      第２の制御部
１６５      付加データ生成部
【図１】
2010211570.tif 000003
【図２】
2010211570.tif 000004
【図３】
2010211570.tif 000005
【図４】
2010211570.tif 000006
【図５】
2010211570.tif 000007
【図６】
2010211570.tif 000008
【図７】
2010211570.tif 000009
【図８】
2010211570.tif 000010
【図９】
2010211570.tif 000011
【図１０】
2010211570.tif 000012
【図１１】
2010211570.tif 000013
【図１２】
2010211570.tif 000014